(57)【特許請求の範囲】
【請求項１】
互いに縫い合わされた複数の積み重ねられた一方向繊維層を含む、自己順応性ノンクリンプファブリックであって、
ステッチ密度の第１の調整パラメータを有する少なくとも１つの順応領域と、
前記第１の調整パラメータより高い、ステッチ密度の第２の調整パラメータを有する少なくとも１つの固定領域と、
を有し、
前記第２の調整パラメータの範囲が、１０ステッチ／２．５４ｃｍ〜５ステッチ／２．５４ｃｍであり、
前記第１の調整パラメータの範囲が、４．９ステッチ／２．５４ｃｍ〜１ステッチ／２．５４ｃｍである
ことを特徴とする、自己順応性ノンクリンプファブリック。
【請求項２】
炭素繊維、黒鉛繊維、ガラス繊維、セラミック繊維、芳香族ポリアミド繊維、及びこれらを組み合わせたものから成る群から選択される繊維を含む、請求項１に記載のファブリック。
【請求項３】
前記順応領域、前記固定領域、又はこれらを組み合わせた領域は、中断されたステッチを含む、請求項１又は２に記載のファブリック。
【請求項４】
輪郭を有する複合材料部材であって、請求項１乃至３のいずれか１項に記載の自己順応性ノンクリンプファブリックを含む、部材。
【発明の詳細な説明】
【技術分野】
【０００１】
本明細書に説明する実施形態は、概して自己順応性ノンクリンプファブリック及び該ファブリックを含む輪郭成形複合材料部材に関する。特に、本明細書の実施形態は、概して、ステッチの種類、ステッチ間隔、ステッチ密度、ステッチ材料、ステッチ重さ、ステッチ張力、及びこれらを組み合わせたものから成る群から選択される第１の調整パラメータを含む少なくとも１つの順応領域を有する自己順応性ノンクリンプファブリックを説明する。
【背景技術】
【０００２】
近年、複合材料は、その耐久性と比較的軽量であることにより、様々な航空用途において益々一般的に用いられるようになっている。複合材料の作製においては、織物ファブリック、編物ファブリック、及びノンクリンプファブリック等の幾つかの繊維ファブリックプリフォームが用いられる。これらの繊維ファブリックプリフォームを使用することによって、作製工程を自動化でき、従来既存のものよりも低コストで堅実な複合材料部材の作製方法が得られる。
【０００３】
繊維ファブリックプリフォームの中でも、織物ファブリックは最も広く一般に用いられ、最も安価である。織物ファブリックの繊維は、大抵、作製目的で繊維を任意のバイアス角に配置することが必要な場合、切断して回転させなければならない垂直（０°及び９０°）の配向を呈する。この欠点によって、材料の無駄が増え、部材の製造工程を自動化しにくくなることが多い。織物ファブリックに比べると、編物ファブリックは、繊維をバイアス角に配向できるので、高い設計柔軟性を得られる。しかし、編物ファブリックの製造は概して難しく、したがって織物ファブリックよりも高価である。更に、バイアス角の繊維から成る編物ファブリックは、部材の製造時、所定の最大印加張力しか支持できず、これを超えると材料の繊維構造には望ましくない歪みが生じる。
【０００４】
上述の問題の幾つかに対処するべく、最近は多軸ノンクリンプファブリック（ＮＣＦ）が複合材料部材の作製に用いられ始めている。本明細書で用いる場合、ＮＣＦは、１つ以上の一方向繊維層を積み重ねた後、これらの層を互いに縫い合わせて作製された、あらゆるファブリックプリフォームを指す。縫合糸は、層を一括して保持し、ファブリックを処理するための製造補助材としての役割を果たす。縫合糸はファブリック全体に共通であり、構造機能には用いられない。
【０００５】
ＮＣＦは、材料の無駄が少なく自動化によって部材製造工程を迅速化できるので、織物ファブリックよりもコストが低い。加えて、繊維の織り合わせを行わないこと、製造工程に由来する効率によって、編物ファブリックよりもＮＣＦを低コストで作製できる。しかし、特殊設計のファブリック巻取りマンドレルを用いて固有の輪郭成形形状を有するように製造可能な織物や編物と比べると、ＮＣＦは概して、平らなシート状又はロール状に製造される必要がある。このため、ＮＣＦの順応性は、編物又はファブリックを用いて得られる順応性ほど良好ではないので、しわを生じることなく輪郭成形形状に順応させることが更に困難になる場合がある。
【先行技術文献】
【特許文献】
【０００６】
【特許文献１】国際公開第２００３／０４１９４８Ａ号
【発明の概要】
【発明が解決しようとする課題】
【０００７】
したがって、より高い順応性を有するノンクリンプファブリックの作製方法及び該方法を用いて作製された輪郭成形部材が依然として必要である。
【課題を解決するための手段】
【０００８】
本明細書の実施形態は、概して、ステッチの種類、ステッチ間隔、ステッチ密度、ステッチ材料、ステッチ重さ、ステッチ張力、及びこれらを組み合わせたものから成る群から選択される第１の調整パラメータを含む少なくとも１つの順応領域を有する、自己順応性ノンクリンプファブリックに関する。
【０００９】
また、本明細書の実施形態は、概して、少なくとも１つの順応領域と、少なくとも１つの固定領域とを有する自己順応性ノンクリンプファブリックであって、１つの順応領域は少なくとも１つの第１の調整パラメータを含み、１つの固定領域は少なくとも１つの第２の調整パラメータを含み、第１及び第２の各調整パラメータは、ステッチの種類、ステッチ間隔、ステッチ密度、ステッチ材料、ステッチ重さ、ステッチ張力、及びこれらを組み合わせたものから成る群から選択される自己順応性ノンクリンプファブリックにも関する。
【００１０】
以下の開示から、当業者には、上述及びその他の特徴、態様、及び利点が明らかになるであろう。
【００１１】
本明細書は、本発明を特に明示し、明瞭にクレームする特許請求の範囲で締め括られているが、同様の参照符号で同様の要素を示す添付図面に関連した以下の説明から、ここに示す実施形態の理解が深まるであろう。
【図面の簡単な説明】
【００１２】
【図１】本明細書の説明に従った、３つの一方向繊維層から成る１枚のノンクリンプファブリックの一実施形態の概略切欠図である。
【図２】本明細書の説明に従った、調整可能なパラメータを有する１枚の自己順応性ノンクリンプファブリックの一実施形態の概略図である。
【図３】本明細書の説明に従った、輪郭成形形状を有する複合材料部材の一実施形態の概略斜視図である。
【発明を実施するための形態】
【００１３】
本明細書において説明する実施形態は、概して、自己順応性ノンクリンプファブリック及び該ファブリックを含む輪郭成形複合材料部材に関する。本明細書の一部の実施形態では、概して複合材料ケーシングの作製方法に焦点を置くが、当業者には、本説明がこれに限定されないことが理解できよう。実際に、以下の説明で述べるが、本明細書に記載の方法を、本明細書において以下に説明するように、エアフォイル形状の構造を有する任意の部材等、少なくとも１つの輪郭成形された形状又は面を有するあらゆる複合材料部材の作製に用いることができる。
【００１４】
本明細書に記載の部材を作製するには、輪郭成形形状を有する工具に少なくとも１枚のファブリックをあて、その後、以下に記載のように、このファブリックを樹脂で処理して硬化させる。本明細書において用いる場合、「工具」とは、複合材料部材の作製に用いる何らかのマンドレル又は金型を指す。ファブリックは、所望の層数に達するまで、工具のまわりに連続的にあてられるか、又は１枚ずつ配置される。
【００１５】
最初に、少なくとも１枚のファブリックを工具にあてる。本明細書全体を通して、「輪郭成形（された）」とは、その一部分が非平面状の（即ち平らでない）形状又は面を有する部材を意味する。輪郭成形形状の幾つかの例には、円筒形、円錐形、及びこれらを組み合わせたものが含まれるが、これらに限定されない。
【００１６】
１枚のファブリックは、自己順応性ノンクリンプファブリックから成る。本明細書において用いる場合、「ノンクリンプファブリック」１０は、図１に概略的に示すように、１つ以上の一方向繊維層を積み重ねた後、これらの層を互いに縫い合わせることによって形成されたあらゆるファブリックを指す。ノンクリンプファブリックの一方向繊維を様々な態様で配向することによって、設計要件を満たすことができる。ノンクリンプファブリックは、一方向繊維層を互いに縫い合わせることによって形成されるので、一方向繊維は実質的に所望のいかなる配向角を有してもよいことが当業者には理解できよう。ファブリックの特定の繊維配向にかかわらず、概して、これらの繊維には、樹脂と組み合わせて複合材料が形成される、当業者に周知のいかなる適切な強化用繊維も含まれる。一実施形態において、この繊維には、炭素繊維、黒鉛繊維、ガラス繊維、セラミック繊維、芳香族ポリアミド繊維のうちの少なくとも１つが含まれる。
【００１７】
現在の複合材料技術に伴う上述の欠点に対処するべく、以下に、図２に示す自己順応性ノンクリンプファブリック１２の作製方法を説明する。「自己順応性」とは、本明細書に定義するように工具が輪郭成形形状を有する場合に、ファブリックがしわを生じることなく、あてられた工具の形状をとる能力を指す。この方法は、概して、ファブリックを固定するための少なくとも１つの第１のパラメータと、ファブリックの順応性を得るための少なくとも１つの第２のパラメータとを調整するステップを含み、この第１及び第２のパラメータは、ステッチの種類、ステッチ間隔、ステッチ密度、ステッチ材料、ステッチ重さ、ステッチ張力、及びこれらを組み合わせたものから成る群から選択される。こうしたパラメータを調整することによって、ノンクリンプファブリックが、このファブリックをあてる工具に対してより高い順応性を呈するように設計することができる。
【００１８】
特に、上述のパラメータを調整することによって、設計需要に応じてファブリックを固定したりファブリックの順応性を高めたりできる。本明細書で用いる場合、ファブリックの「固定」は、ファブリックの移動を小さくして、これを正位置に保持すること又は操作性を高めることを意味する。例えば、ファブリックを正位置に保持するための凹点での固定、又は操作性を高めるための縁部に沿った固定が望ましい場合がある。「順応性」を得るとは、ファブリックの繊維を移動させて、ファブリックがあてられる工具の輪郭に、しわを生じることなく沿わせることを意味する。
【００１９】
図２に概略的に示すように、ステッチの種類を調整するステップは、ファブリックを固定するための単純なステッチの種類１４と、ファブリックの順応性を得るための複雑なステッチの種類１６とを用いるステップを含む。「単純なステッチの種類」１４は、ストレートステッチを指し、「複雑なステッチの種類」１６は、クロスステッチパターン又はジグザグパターン等、より複雑なステッチを指す。
【００２０】
ステッチ間隔を調整するステップは、ファブリックを固定するための小さめのステッチ間隔１８と、ファブリックの順応性を得るための大きめのステッチ間隔２０とを用いるステップを含む。「小さめのステッチ間隔」１８は、約１０ｐｐｉ〜約２．５ｐｐｉのステッチ間隔を含む。「大きめのステッチ間隔」２０は、約２．４９ｐｐｉ〜約０．１ｐｐｉのステッチ間隔を含む。
【００２１】
ステッチ密度を調整するステップは、ファブリックを固定するための高ステッチ密度２２と、ファブリックの順応性を得るための低ステッチ密度２４とを用いるステップを含む。「高ステッチ密度」２２は、約１０ステッチ／１インチ（約１０ステッチ／２．５４ｃｍ）〜約５ステッチ／１インチ（約５ステッチ／２．５４ｃｍ）の密度を有するステッチを含み、「低ステッチ密度」２４は、約４．９ステッチ／１インチ（約４．９ステッチ／２．５４ｃｍ）〜約１ステッチ／１インチ（約１ステッチ／２．５４ｃｍ）の密度を有するステッチを含む。こうした密度の差は、例えば、所望の密度に達するまでノンクリンプファブリックを縫合機に複数回通すことによって得られる。
【００２２】
一実施形態において、ステッチ材料を調整するステップは、ファブリックを固定するための剛性ステッチ材料と、ファブリックの順応性を得るための弾性ステッチ材料とを用いるステップを含む。剛性ステッチ材料の幾つかの例には、標準ナイロンフィラメントが含まれるが、これに限定されることはなく、弾性ステッチ材料には、熱可塑性エラストマーが含まれるが、これに限定されることはない。
【００２３】
ステッチ重さを調整するステップは、ファブリックを固定するための重いステッチ重さ２６と、ステッチ切れが制御されたファブリックの順応性を得るための軽いステッチ重さ２８とを用いるステップを含む。「重いステッチ重さ」２６には、７２デニール以上のステッチ重さが含まれるが、これに限定されることはなく、「軽いステッチ重さ」２８には、７２デニール未満のステッチ重さが含まれるが、これに限定されることはない。
【００２４】
ステッチ張力を調整するステップは、ファブリックを固定するための高ステッチ張力３０と、ファブリックの局所的な並進を利用してファブリックの順応性を得るための低ステッチ張力３２とを用いるステップを含む。「高ステッチ張力」３０によって、ステッチが張力を受けていること、即ちステッチがファブリックに対してピンと張っていることを意味する。「低ステッチ張力」３２は、ファブリックが工具にあてられるまで、ステッチがファブリックに対して緩んだ状態になっている、低張力で構成されたステッチを指す。緩いステッチは、工具にあてられるとピンと張るので、自己順応性ノンクリンプファブリックはしわを生じることなく工具の輪郭に順応する。
【００２５】
加えて、上述の調整可能なパラメータのいずれかのステッチを中断することによっても順応性を得ることができる。ステッチの「中断」は、ステッチ線上の少なくとも１つのステッチを除去することを指す。中断されたステッチは、順応領域、固定領域、又はこれらを組み合わせた領域内に位置する。当業者は、２つ以上のステッチを排除してもよいこと、並びに、排除されるステッチは、隣接するステッチ、１つおき、２つおき、３つおき等、又はこれらを組み合わせたものであってよいことを理解できよう。例えば、一実施形態では、図２に概略的に示すように、１区間のステッチを排除してステッチ３３を中断することによって、クロスステッチパターンの順応性を高めることができる。別の実施形態では、ステッチ３５を中断することによって、低ステッチ張力の順応性を尚一層高めることができる。
【００２６】
上述のように、図３に概略的に示すように、本明細書に示すパラメータを調整して、輪郭３４を有する複合材料部材の作製に用いる自己順応性ノンクリンプファブリックを作製できる。複合材料部材３４は、本明細書に記載の１つ以上の調整パラメータを含む少なくとも１つの領域３６を含む。このような領域３６は、順応領域３８又は固定領域４０のいずれかを含んでよい。複合材料部材３４は、円筒状の形状又は面、円錐状の形状又は面、及びこれらを組み合わせたものを含むが、これらに限定されない輪郭を有してよい。この部材が完全に輪郭成形されている必要はなく、この部材が１つの輪郭成形部分を有するのみであってもよいことは、当業者には理解できよう。一実施形態において、複合材料部材は、ファンケーシング等の複合材料格納ケーシングから成る。別の実施形態において、この部材は、ジェットエンジンのファンブレード又は風車の風車ブレード等であるが、これらに限定されないエアフォイル形状の構造を有してもよい。
【００２７】
自己順応性ノンクリンプファブリックを所望の工具にあてた後、その結果として得られる複合材料部材プリフォームを、当業者に周知の従来の技術及び方法を用いて樹脂で処理し、硬化させることで、或る輪郭を有する複合材料部材を作製できる。
【００２８】
上述のファブリック及び方法を用いて複合材料部材、特にケーシング又はエアフォイル形状の構造を構成することによって、現行のノンクリンプファブリック技術を超える利点が得られる。ノンクリンプファブリックを本明細書に記載のように調整することによって、ファブリックをあてる工具に対してより高い順応性を示すことができる。その結果、最終的なプリフォームの体積を小さくできるので、より多くのファブリック繊維を確保でき、仕上がった硬化済み複合材料部材のしわの発生を削減できる。
【００２９】
本明細書では、最適な態様も含め、例を用いて本発明を開示しており、これによって当業者は、本発明を実施及び利用できる。本発明の特許請求の範囲は、請求項に明示されると共に、当業者に想到可能なその他の例も含む。こうしたその他の例は、請求項の文言と相違ない構成要素を含む場合、又は請求項の文言と殆ど変わらない等価の構成要素を含む場合、特許請求の範囲に含まれるものとする。
【図１】
0005600318.tif 000002
【図２】
0005600318.tif 000003
【図３】
0005600318.tif 000004